(57)【要約】【課題】かかる従来技術の問題点に鑑み、吐出弁から高圧の流体が吐出される高圧通路に露出するリリーフ弁の入口周辺のコンタミの付着を抑制することができる流体ポンプを提供する。【解決手段】流体ポンプ１０は、加圧室１４を備え、ポンプ本体１２に複数の弁部材３０、５０、６０が配置され、ポンプ本体１２は高圧通路１１を備える。円柱形状の中心軸線方向の一方の端面６８が高圧通路１１に露出し、端面６８には、高圧通路１１から低圧の空間１６に通じるリリーフ孔６２が開口し、吐出弁５０は円筒形状の外周面５３ａを備えている。吐出弁５０は円筒形状の外周面５３ａに開口し、吐出弁５０の内部から高圧通路１１に流体を通過させる吐出開口５５を備える。吐出開口５５が延在する向きと直交する投影面Ｓに吐出開口５５が投影される範囲Ｓ１は投影面Ｓに端面６８が投影される範囲に重なる。【選択図】図３Ｂ
2020045891.tif 000002
【特許請求の範囲】
【請求項１】
流体を吸入した後に流体の圧力を上昇し吐出する加圧室を備え、
前記加圧室を構成するポンプ本体に複数の弁部材が配置され、
前記ポンプ本体は前記加圧室から吐出される流体が通過する高圧通路を備える流体ポンプであって、
前記弁部材のうち少なくとも一つは前記加圧室から前記高圧通路にいたる吐出連通路に設けられた吐出弁であり、
前記弁部材のうち少なくとも一つは前記高圧通路から該高圧通路よりも低圧の空間へ流体を開放するリリーフ弁であり、
前記リリーフ弁は少なくともリリーフ弁体と、該リリーフ弁体と当接する弁座面を備えるリリーフ弁座部と、前記リリーフ弁体を前記リリーフ弁座部に付勢するリリーフ付勢部材とを備え、
前記リリーフ弁座部は円柱形状であり、
前記リリーフ弁座部は前記円柱形状の中心軸線に平行な向きに前記ポンプ本体に設けられた挿入孔に前記高圧通路側から挿入され、
前記円柱形状の前記中心軸線方向の一方の端面が前記高圧通路に露出し、
前記端面には、前記高圧通路から前記高圧通路よりも低圧の空間に通じるリリーフ孔が開口し、
前記吐出弁は円筒形状の外周面を備え、
前記吐出弁は前記円筒形状の外周面に開口し、前記吐出弁の内部から前記高圧通路に流体を通過させる吐出開口を備え、
前記吐出開口が延在する向きと直交する投影面に前記吐出開口が投影される範囲は前記投影面に前記端面が投影される範囲に重なることを特徴とする流体ポンプ。
【請求項２】
請求項１に記載の流体ポンプであって、
前記円柱形状の中心軸線を取り囲む周囲面の少なくとも一部は前記高圧通路内に露出されている露出周囲面であり、
前記吐出開口が延在する向きと直交する投影面に前記吐出開口が投影される範囲は前記投影面に前記露出周囲面が投影される範囲に重なることを特徴とする流体ポンプ。
【請求項３】
請求項１又は請求項２に記載の流体ポンプであって、
前記吐出弁は、前記円筒形状の外周面における前記吐出開口と異なる位置に他の吐出開口を備え、
前記吐出開口は、前記他の吐出開口よりも大きく開口していることを特徴とする流体ポンプ。
【発明の詳細な説明】
【技術分野】
【０００１】
本発明は、流体を吸入した後に流体の圧力を上昇し吐出する加圧室を構成するポンプ本体にリリーフ弁を備えた流体ポンプに関する。
【背景技術】
【０００２】
従来、流体ポンプとして、例えば高圧直噴燃料ポンプには、高圧側通路にリリーフ弁が配置される。リリーフ弁は、インジェクタなどの下流側の部品の作動不良及びエンジン排熱による配管内の加熱等によって、高圧側通路に繋がるコモンレール内の圧力が異常上昇することがある。コモンレール内の圧力が上昇した際に燃料を抜くことによって、高圧側通路内の圧力の異常上昇が防止される。このようなリリーフ弁を備えた流体ポンプが知られている（たとえば、特許文献１参照）。
【０００３】
特許文献１の流体ポンプでは、リリーフ弁は、ばねによって弁体が弁座に付勢された構造であり、高圧側通路内が所定の圧力以上になったときにばねの付勢力に打勝ち開弁する。リリーフ弁が作動していない場合は、ばねの付勢力によって弁体を弁座に押し付けてシールする。これにより、燃料が高圧側の通路から低圧の空間に流出して流体ポンプの吐出量が低下することを防止している。
【先行技術文献】
【特許文献】
【０００４】
【特許文献１】特開２０１１−１４９４１５号公報
【発明の概要】
【発明が解決しようとする課題】
【０００５】
ところで、流体ポンプを長期間使用するうちに、ポンプ外部から浸入するコンタミ及びポンプの可動部で発生するコンタミが、リリーフ弁の入口付近に付着することがある。リリーフ弁の入口周辺に付着したコンタミは、リリーフ弁が開いたときに燃料の流れによってリリーフ孔から入り弁体と弁座との間を通過する。このとき閉弁のタイミングによってはコンタミが弁体と弁座との間に挟まる虞がある。この場合、ポンプの高圧側通路が密閉されず、ポンプの高圧側通路から低圧側の空間へ燃料が抜け出てしまう。そうすると、ポンプを動作させて昇圧しようとしても高圧側通路から低圧側の空間への燃料漏れによってポンプが適切に昇圧し難くなる。
【０００６】
本発明の目的は、かかる従来技術の問題点に鑑み、吐出弁から高圧の流体が吐出される高圧通路に露出するリリーフ弁の入口周辺のコンタミの付着を抑制することができる流体ポンプを提供することにある。
【課題を解決するための手段】
【０００７】
［１］本発明に係る流体ポンプは、
流体を吸入した後に流体の圧力を上昇し吐出する加圧室を備え、
前記加圧室を構成するポンプ本体に複数の弁部材が配置され、
前記ポンプ本体は前記加圧室から吐出される流体が通過する高圧通路を備える流体ポンプであって、
前記弁部材のうち少なくとも一つは前記加圧室から前記高圧通路にいたる吐出連通路に設けられた吐出弁であり、
前記弁部材のうち少なくとも一つは前記高圧通路から該高圧通路よりも低圧の空間へ流体を開放するリリーフ弁であり、
前記リリーフ弁は少なくともリリーフ弁体と、該リリーフ弁体と当接する弁座面を備えるリリーフ弁座部と、前記リリーフ弁体を前記リリーフ弁座部に付勢するリリーフ付勢部材とを備え、
前記リリーフ弁座部は円柱形状であり、
前記リリーフ弁座部は前記円柱形状の中心軸線に平行な向きに前記ポンプ本体に設けられた挿入孔に前記高圧通路側から挿入され、
前記円柱形状の前記中心軸線方向の一方の端面が前記高圧通路に露出し、
前記端面には、前記高圧通路から前記高圧通路よりも低圧の空間に通じるリリーフ孔が開口し、
前記吐出弁は円筒形状の外周面を備え、
前記吐出弁は前記円筒形状の外周面に開口し、前記吐出弁の内部から前記高圧通路に流体を通過させる吐出開口を備え、
前記吐出開口が延在する向きと直交する投影面に前記吐出開口が投影される範囲は前記投影面に前記端面が投影される範囲に重なることを特徴とする。
【０００８】
かかる構成によれば、流体ポンプは、ポンプ本体に複数の弁部材が配置され、弁部材のうち少なくとも一つは吐出弁であり、弁部材のうち少なくとも一つはリリーフ弁であり、ポンプ本体に配置されている加圧室で加圧された流体は、吐出連通路に設けられた吐出弁から高圧通路に吐出される。
【０００９】
リリーフ弁は、リリーフ弁体と、リリーフ弁体と当接する弁座面を備えるリリーフ弁座部と、リリーフ付勢部材とを備えている。リリーフ弁座部は、円柱形状であり、この円柱形状の中心軸線に平行な向きにポンプ本体に設けられた挿入孔に高圧通路側から挿入され、円柱形状の中心軸線方向の一方の端面が高圧通路に露出し、この端面に高圧通路から低圧の空間に通じるリリーフ孔が開口している。
【００１０】
吐出弁は、円筒形状の外周面を備え、この外周面に開口し、吐出弁の内部から高圧通路に流体を通過させる吐出開口を備える。吐出開口が延在する向きと直交する投影面に吐出開口が投影される範囲は投影面に端面が投影される範囲に重なる。このため、吐出弁の吐出開口から吐出された流体は、リリーフ弁の端面に積極的に強い流れを作り、リリーフ弁の入口周辺のコンタミを流す。結果、吐出弁から高圧の流体が吐出される高圧通路に露出するリリーフ弁の入口周辺のコンタミの付着を抑制することができる。
【００１１】
［２］また、本発明の流体ポンプにおいて、
前記円柱形状の中心軸線を取り囲む周囲面の少なくとも一部は前記高圧通路内に露出されている露出周囲面であり、
前記吐出開口が延在する向きと直交する投影面に前記吐出開口が投影される範囲は前記投影面に前記露出周囲面が投影される範囲に重なることが好ましい。
【００１２】
かかる構成によれば、吐出開口が延在する向きと直交する投影面に吐出開口が投影される範囲は投影面に露出周囲面が投影される範囲に重なるので、吐出弁の吐出開口から吐出された流体は、リリーフ弁の露出周囲面に当たり、露出周囲面と高圧通路を画定する壁面との境目の狭い領域に積極的に強い流れを作る。この境目の狭い領域のコンタミを流す。結果、リリーフ弁の露出周囲面と高圧通路を画定する壁面との境目の狭い領域のコンタミの付着を抑制することができる
【００１３】
[３] また、本発明の流体ポンプにおいて、
前記吐出弁は、前記円筒形状の外周面における前記吐出開口と異なる位置に他の吐出開口を備え、
前記吐出開口は、前記他の吐出開口よりも大きく開口していることが好ましい。
【００１４】
かかる構成によれば、吐出弁のリリーフ弁側の吐出開口は、他の吐出開口よりも大きく開口しているので、他の吐出開口よりもリリーフ弁側の吐出開口からより多くの流体を吐出し、リリーフ弁の端面及び露出周囲面に強い流れを作る。結果、リリーフ弁の入口周辺のコンタミの付着をより抑制することができる。
【図面の簡単な説明】
【００１５】
【図１】図１は本発明に係る流体ポンプが配置される燃料供給系統の構成図である。
【図２】図２は本発明に係る流体ポンプの斜視図である。
【図３Ａ】図３Ａは図２の３Ａ−３Ａ線断面図である。
【図３Ｂ】図３Ｂは図３Ａの要部拡大図である。
【図４】図４は本発明に係る流体ポンプの作用図である。
【発明を実施するための形態】
【００１６】
以下、図面を用いて本発明の実施形態を説明する。図１は燃料供給系統１を模式的に表した構成図である。図１に示すように、流体ポンプ１０は、例えば、ガソリンエンジン等の車両用の内燃機関の燃料供給系統１に用いられている。燃料供給系統１は、燃料タンク２、低圧ポンプ３、燃料配管４、流体ポンプ１０、燃料レール５、インジェクタ６、高圧配管７、減圧弁８及び低圧配管９を備えている。
【００１７】
燃料タンク２には、低圧ポンプ３が設けられている。低圧ポンプ３には、燃料配管４を介して流体ポンプ１０が接続されている。流体ポンプに１０には、高圧通路１１が形成されている。流体ポンプ１０の高圧通路１１には、ジョイント部１１ａを介して燃料レール５が接続されている。燃料レール５には、高圧配管７を介して減圧弁８が接続されている。減圧弁８には、低圧配管９を介して流体ポンプ１０が接続されている。高圧通路１１又は燃料レール５には、圧力センサ（不図示）が設けられている。
【００１８】
燃料タンク２は、燃料を貯留するものである。低圧ポンプ３は、燃料タンク２に貯留された燃料を燃料配管４に送るものである。流体ポンプ１０は、燃料配管４からの低圧の燃料を加圧し、高圧となった燃料を高圧通路１１に吐出するものである。燃料レール５は、高圧通路１１からの高圧の燃料をインジェクタ６に送るものである。減圧弁８は、燃料レール５内の燃料の圧力が所定値を超えたときに、燃料レール５内の燃料を低圧配管９に逃がすものである。減圧弁８は、ソレノイド８ａの磁力により開閉する電磁駆動式の弁であり、制御部（不図示）により開閉が制御されている。圧力センサ（不図示）は、高圧通路１１及び燃料レール５内の燃料の圧力を計測するものである。
【００１９】
次に、燃料の流れを説明する。燃料タンク２に貯留された燃料は、低圧ポンプ３により燃料配管４を介して流体ポンプ１０に送られる。流体ポンプ１０に送られた燃料は、昇圧され、高圧通路１１から燃料レール５に送られ、さらにインジェクタ６からエンジンの各気筒内に噴射される。
【００２０】
圧力センサ（不図示）により燃料レール５内の燃料が所定値よりも高圧になったことが検知されると、制御部（不図示）によりソレノイド８ａが励磁されて減圧弁８が開く。燃料レール５内の燃料は、減圧弁８から低圧配管９に排出される。低圧配管９に排出された燃料は、流体ポンプ１０に戻される。
【００２１】
次に流体ポンプ１０について説明する。図１、図２、図３Ａ及び図３Ｂに示すように、流体ポンプ１０は、ポンプ本体１２、低圧通路１３、加圧室１４、吐出連通路１５、高圧通路１１、低圧の空間１６、プランジャ２０及び弁部材３０、５０、６０を備えている。
【００２２】
次に弁部材としての吸入弁３０について説明する。ポンプ本体１２には、燃料配管４が接続された低圧通路１３が形成されている。低圧通路１３と加圧室１４とは連通しており、この連通部分に吸入弁３０が設けられている。
【００２３】
吸入弁３０は、ソレノイド３１の磁力により開閉する電磁駆動式の弁であり、制御部（不図示）により開閉が制御されている。図３Ａに示す吸入弁３０は、ソレノイド３１が励磁され、閉じた状態である。ポンプ本体１２には、略円筒状の吸入本体部３２が設けられている。
【００２４】
吸入本体部３２の内周部には、摺動支持部３３が設けられ、この摺動支持部３３には、摺動バー３４が摺動可能に設けられている。摺動バー３４の一端には、鉄心３５が設けられている。ソレノイド３１を励磁することで摺動バー３４及び鉄心３５がソレノイド３１側に引き寄せられる。摺動バー３４の途中部分には、ばね座が設けられている。摺動バー３４のばね座と摺動支持部３３との間には、摺動バー３４をソレノイド３１とは反対側に付勢する摺動用付勢部材３６が設けられている。
【００２５】
吸入本体部３２の加圧室１４側には、吸入弁座部４１、吸入弁体４２、吸入スプリングホルダ４３及び吸入付勢部材４４が備えられている。吸入スプリングホルダ４３に収納された吸入付勢部材４４により、吸入弁体４２が吸入弁座部４１に付勢されている。
【００２６】
吸入弁体４２の吸入付勢部材４４の当接面と反対側の面には、摺動バー３４の他端が当接している。ソレノイド３１が励磁されていないときは、摺動用付勢部材３６の付勢力が、吸入付勢部材４４の付勢力よりも大きいため、摺動バー３４の他端により吸入弁体４２が移動され、吸入弁３０が開く。
【００２７】
次に、加圧室１４及びプランジャ２０について説明する。プランジャ２０は、当該プランジャ２０の先端部が加圧室１４に突出するように、ポンプ本体１２に進退可能に設けられている。流体ポンプ１０の近傍にカム２１が回転可能に設けられている。プランジャ２０は、プランジャ付勢部材２２によりカム２１の方向へ付勢されている。プランジャ２０は、タペット２３を介してカム２１に接されており、軸方向に往復移動される。
【００２８】
次に弁部材としての吐出弁５０について説明する。ポンプ本体１２には、加圧室１４から高圧通路１１にいたる吐出連通路１５に、吐出弁５０が設けられている。吐出弁５０は、吐出弁座部５１、吐出弁体５２、吐出スプリングホルダ５３及び吐出付勢部材５４を備えている。吐出スプリングホルダ５３に収納された吐出付勢部材５４により、吐出弁体５２が吐出弁座部５１に付勢されている。
【００２９】
吐出スプリングホルダ５３は、円筒形状であり、外周面５３ａを備えている。吐出弁５０は、円筒形状の外周面５３ａに開口し、吐出弁５０の内部から高圧通路１１に流体を通過させる吐出開口５５を備えている。加圧室１４内の燃料の圧力が所定値以上の大きさになると、加圧室１４内の燃料の圧力によって吐出弁体５２を押す力が、吐出付勢部材５４の付勢力と高圧通路１１内の燃料の圧力によって吐出弁体５２を押す力との総力に勝り、吐出弁５０が開く。
【００３０】
次に弁部材としてのリリーフ弁６０について説明する。ポンプ本体１２には、高圧通路１１と当該高圧通路１１よりも低圧の空間１６とを連通する挿入孔１７が形成されている。挿入孔１７には、高圧通路１１から低圧の空間１６へ流体を開放するリリーフ弁６０が設けられている。
【００３１】
リリーフ弁６０は、弁座面６１及びリリーフ孔６２が形成されたリリーフ弁座部６３、リリーフ弁体６４、リリーフ付勢部材６５、リリーフばね座６６及びリリーフ弁体支持部６７を備えている。リリーフばね座６６に設けられたリリーフ付勢部材６５によりリリーフ弁体支持部６７を介してリリーフ弁体６４が弁座面６１に付勢されている。
【００３２】
リリーフ弁座部６３は円柱形状である。挿入孔１７は、円柱形状の中心軸線に平行な向きにポンプ本体１２に設けられている。リリーフ弁座部６３は、高圧通路１１側から挿入孔１７に圧入されている。リリーフ弁座部６３の円柱形状の中心軸線方向の一方には、端面６８が形成されている。端面６８は、高圧通路１１に露出している。この端面６８には、高圧通路１１から当該高圧通路１１よりも低圧の空間１６に通じるリリーフ孔６２が開口している。リリーフ弁座部６３の円柱形状の中心軸線を取り囲む周囲面６９の少なくとも一部は、高圧通路１１内に露出されている露出周囲面７１を形成している。
【００３３】
リリーフ弁座部６３の周囲面６９の一部は、低圧の空間１６と高圧通路１１とを区画する圧入保持部１８に押圧保持されている。リリーフ弁座部６３には、リリーフ弁座部６３と低圧の空間１６とを連通する連通孔７２が複数形成されている。リリーフ弁座部６３の圧入保持部１８に押されている部分は、円柱形状の中心軸線方向において弁座面６１と連通孔７２との間に位置している。
【００３４】
リリーフ弁座部６３の圧入保持部１８に押されている部分は、弁座面６１から離れているので、リリーフ弁６０の高精度に調整されたリリーフ圧が、リリーフ弁６０の組付けによって変化することを抑制できる。また、リリーフ弁座部６３の圧入保持部１８に押されている部分は、環状に形成されているので、シールのための部品が不要となり、部品コストの低減を図ることができる。
【００３５】
リリーフばね座６６は、リリーフ弁座部６３の円柱形状の中心軸線方向の他方に設けられている。リリーフばね座６６はリリーフ弁座部６３の略円筒形状の内周面にリリーフ弁座部６３の円柱形状の中心軸線方向に圧入されて固定されており、リリーフ弁座部６３の円柱形状の中心軸線方向にどの程度圧入するかによってリリーフ付勢部材６５の縮み量が調整されている。
【００３６】
また、ポンプ本体１２には、リリーフ弁座部６３の円柱形状の中心軸線に対して直交する第１平面２４を備えている。第１平面２４は、リリーフ弁６０の挿入方向先端側に位置している。第１平面２４には、円筒形状の凹部２５が形成されている。円筒形状の凹部２５の軸線は、リリーフ弁座部６３の円柱形状の中心軸線と一致している。さらに、ポンプ本体１２には、第１平面２４と平行に形成された第２平面２６を備えている。第２平面２６は、リリーフ弁６０の挿入方向手前側に位置している。
【００３７】
ところで、リリーフ弁６０をポンプ本体１２に挿入するときには、リリーフ弁座部６３の中心軸線に対して直交している第１平面２４及び第２平面２６を冶具で保持する。円筒形状の凹部２５の軸線は、リリーフ弁座部６３の円柱形状の中心軸線と一致しているので、リリーフ弁６０をポンプ本体１２に挿入するときにポンプ本体１２がリリーフ弁から受ける力を、この力が作用する直線上で第１平面２４によって受けることができる。
【００３８】
このため、リリーフ弁６０の組付け時における、ポンプ本体１２の傾きを抑制することができる。組付け時におけるポンプ本体１２の傾きを抑制することで、リリーフ弁６０の挿入方向に対する挿入孔１７の相対的な位置ずれを抑制できる。この相対的な位置ずれを抑制することで、リリーフ弁６０が挿入孔１７に挿入される過程における、いわゆるカジリを抑制することができる。
【００３９】
低圧の空間１６は、ポンプ本体１２の外周の少なくとも一部に臨むようにして通路状に形成されている。リリーフ弁座部６３には、円筒形状の外周に連通孔７２が複数形成されている。リリーフ弁６０は、当該リリーフ弁６０の中心軸に対して自転方向に位置決めしなくても、複数形成された連通孔７２のうち少なくとも１つが低圧の空間１６に臨む。このため、ポンプ本体１２の挿入孔１７に対するリリーフ弁６０のレイアウトの自由度を高めることができる。
【００４０】
次に吐出開口５５とリリーフ弁６０との位置関係について説明する。吐出弁５０の吐出開口５５は、リリーフ弁６０側に開口している。リリーフ弁６０側に開口している吐出開口５５が延在する向きと直交する投影面Ｓに、リリーフ弁６０側に開口している吐出開口５５が投影される範囲Ｓ１は、投影面Ｓに端面６８が投影される範囲に重なっている部分Ｓ２がある。
【００４１】
また、吐出弁５０は、円筒形状の外周面５３ａであって、リリーフ弁６０側に開口する吐出開口５５とは異なる位置に、他の吐出開口５６を備えている。リリーフ弁６０側に開口している吐出開口５５は、他の吐出開口５６と同じ大きさとなるように開口している。
【００４２】
次に以上に述べた流体ポンプ１０の作用を説明する。図４に示すように、加圧室１４内の燃料の圧力が所定値以上になると、加圧室１４内の燃料の圧力によって吐出弁体５２を押す力が吐出付勢部材５４の付勢力と高圧通路１１内の燃料の圧力によって吐出弁体５２を押す力との総力より大きくなる。吐出弁体５２が吐出弁座部５１から離れ、吐出弁５０が開く。
【００４３】
リリーフ弁６０側の吐出開口５５から吐出された燃料は、矢印（１）のようにリリーフ弁６０に向かって流れる。燃料の一部は、矢印（２）のようにリリーフ弁６０の端面６８に沿って流れる。燃料の一部は、矢印（３）のようにリリーフ弁６０の露出周囲面７１に沿って流れる。端面６８及び露出周囲面７１に沿って流れた燃料は、矢印（４）のように高圧通路１１から燃料レール５（図１参照）へと流れる。
【００４４】
以上のように、本実施形態によれば、リリーフ弁６０側の吐出開口５５が延在する向きと直交する投影面Ｓを定義すると、投影面Ｓに吐出開口５５が投影される範囲Ｓ１と投影面Ｓに端面６８が投影される範囲とが重なる部分Ｓ２が存在する。このため、吐出弁５０の吐出開口５５から吐出された流体は、リリーフ弁６０の端面６８に積極的に強い流れを作り、リリーフ弁６０の入口周辺のコンタミを流す。結果、吐出弁５０から高圧の流体が吐出される高圧通路１１に露出するリリーフ弁６０の入口周辺のコンタミの付着を抑制することができる。
【００４５】
さらに、投影面Ｓに吐出開口５５が投影される範囲Ｓ１と投影面Ｓに露出周囲面が投影される範囲とが重なる部分Ｓ３が存在する。このため、吐出弁５０の吐出開口５５から吐出された流体は、リリーフ弁６０の露出周囲面７１に当たり、露出周囲面７１と高圧通路１１を画定する壁面１１ｂとの境目の狭い領域に積極的に強い流れを作る。この境目の狭い領域のコンタミを流す。結果、リリーフ弁６０の露出周囲面７１と高圧通路１１を画定する壁面１１ｂとの境目の狭い領域のコンタミの付着を抑制することができる。
【００４６】
このように、リリーフ弁６０の入口周辺のコンタミの付着が抑制されるので、リリーフ弁６０が開いて燃料がリリーフ孔６２に流れたときに、リリーフ弁座部６３とリリーフ弁体６４との間にコンタミが挟まることを抑制できる。結果、流体ポンプ１０の昇圧機能を精度良く適切に保つことができる。
【００４７】
また、流体ポンプ１０のリリーフ弁６０は、リリーフ圧が高精度に調整される必要がある。そのため、流体ポンプ１０の外部でリリーフ弁座部６３、リリーフ弁体６４及びリリーフ付勢部材６５がユニット化された弁ユニットとしてポンプ本体１２に挿入して固定されるのがよい。この点、本発明では、リリーフ弁座部６３は、高圧通路１１側から挿入孔１７に挿入されている。このため、流体ポンプ１０の外部で、リリーフ弁座部６３、リリーフ弁体６４及びリリーフ付勢部材６５をユニット化し、動作圧力を高精度に調整してからポンプ本体１２に組付けることができる。
【００４８】
なお、実施形態では、吐出弁５０のリリーフ弁６０側に開口している吐出開口５５が、他の吐出開口５６と同じ大きさとなるように開口しているとしたが、これに限定されず、リリーフ弁６０側に開口している吐出開口５５が、他の吐出開口５６よりも大きく開口しているように形成してもよい。
【００４９】
この場合、他の吐出開口５６よりもリリーフ弁６０側の吐出開口５５からより多くの流体を吐出し、リリーフ弁６０の端面６８及び露出周囲面７１に強い流れを作る。結果、リリーフ弁６０の入口周辺のコンタミの付着をより抑制することができる。
【符号の説明】
【００５０】
１０…流体ポンプ、１１…高圧通路、１２…ポンプ本体、１４…加圧室、１５…吐出連通路、１６…低圧の空間、１７…挿入孔、３０…吸入弁（弁部材）、５０…吐出弁（弁部材）、５３ａ…外周面、５５…リリーフ弁側の吐出開口、５６…他の吐出開口、６０…リリーフ弁（弁部材）、６１…弁座面、６２…リリーフ孔、６３…リリーフ弁座部、６４…リリーフ弁体、６５…リリーフ付勢部材、６８…端面、６９…周囲面、７１…露出周囲面、Ｓ…投影面、Ｓ１…吐出開口が投影される範囲、Ｓ２…Ｓ１と端面が投影される範囲とが重なる部分、Ｓ３…Ｓ１と露出周囲面が投影される範囲とが重なる部分。
【図１】
2020045891.tif 000003
【図２】
2020045891.tif 000004
【図３Ａ】
2020045891.tif 000005
【図３Ｂ】
2020045891.tif 000006
【図４】
2020045891.tif 000007